(57)【要約】【課題】印刷時におけるスジ及びかすれの発生が抑制されたグラビア印刷機、及び印刷時におけるスジ及びかすれの発生が抑制されたグラビア印刷方法を提供する。【解決手段】インキパンのインキをグラビア版胴の版面に転移させてインキングを行い、ドクターブレードにより前記版面上の余分なインキを掻き取った後、前記版面の微小な凹部に詰まったインキを被印刷基材に転移させるグラビア印刷機であって、前記ドクターブレードが、前記被印刷基材側から順に配置された第一のドクターブレード及び第二のドクターブレードを含み、前記第二のドクターブレードのＪＩＳ  Ｌ  １０９６：２０１０で規定される剛軟度が２．５×１０−５Ｎ以下であることを特徴とする、グラビア印刷機。【選択図】図１
2015066893.tif 000002
【特許請求の範囲】
【請求項１】
インキパンのインキをグラビア版胴の版面に転移させてインキングを行い、ドクターブレードにより前記版面上の余分なインキを掻き取った後、前記版面の微小な凹部に詰まったインキを被印刷基材に転移させるグラビア印刷機であって、
前記ドクターブレードが、前記被印刷基材側から順に配置された第一のドクターブレード及び第二のドクターブレードを含み、
前記第二のドクターブレードのＪＩＳ  Ｌ  １０９６：２０１０で規定される剛軟度が２．５×１０−５Ｎ以下であることを特徴とする、グラビア印刷機。
【請求項２】
グラビア印刷機を用いて、
インキパンのインキをグラビア版胴の版面に転移させてインキングを行う工程と、
ドクターブレードにより前記版面上の余分なインキを掻き取る工程と、
前記版面の微小な凹部に詰まったインキを被印刷基材に転移させる工程とを有する、グラビア印刷方法であって、
前記ドクターブレードが、前記被印刷基材側から順に配置された第一のドクターブレード及び第二のドクターブレードを含み、前記インキを掻き取る工程において、前記第二のドクターブレード、前記第一のドクターブレードの順で前記版面上の余分なインキを掻き取り、
前記第二のドクターブレードのＪＩＳ  Ｌ  １０９６：２０１０で規定される剛軟度が２．５×１０−５Ｎ以下であることを特徴とする、グラビア印刷方法。
【発明の詳細な説明】
【技術分野】
【０００１】
本発明は、グラビア印刷機及びグラビア印刷方法に関するものである。
【背景技術】
【０００２】
グラビア印刷は、版胴のセルと呼ばれる微小な凹部に詰まったインキを被印刷基材に印圧をかけて転移させる印刷方法である。一般的なグラビア印刷は、低粘度で流動性のグラビアインキをインキパン中に満たし、当該流動するグラビアインキ中に円筒状のグラビア版胴を、その下半の一部がインキ液中に浸漬するようにして回転させる。回転に伴い版胴面に連れて上昇するインキをドクターブレードで掻き取りして、印刷に必要なインキのみがセル中に残るようにした後、版胴と圧胴の接触する間に印刷紙を通し、両者間の印圧により、セル中に残ったインキを印刷紙に転移させるのがグラビア印刷方法である（例えば特許文献１）。
【先行技術文献】
【特許文献】
【０００３】
【特許文献１】特開２００７−２５３５８６号公報
【発明の概要】
【発明が解決しようとする課題】
【０００４】
しかしながら、従来のグラビア印刷機による印刷方法では、粘性の低いインキを用いた場合には、ドクターブレードでインキを十分に掻き取ることができず、インキがドクターブレード上に乗り上げてしまい、乗り上げた過剰なインキやその乾燥物の影響により、印画物にスジやかすれが発生する等の不具合が生じるという問題が発生した。
本発明は上記問題点に鑑みてなされたものであり、印刷時におけるスジ及びかすれの発生が抑制されたグラビア印刷機、及び印刷時におけるスジ及びかすれの発生が抑制されたグラビア印刷方法を提供することを目的とする。
【課題を解決するための手段】
【０００５】
本発明に係るグラビア印刷機は、インキパンのインキをグラビア版胴の版面に転移させてインキングを行い、ドクターブレードにより前記版面上の余分なインキを掻き取った後、前記版面の微小な凹部に詰まったインキを被印刷基材に転移させるグラビア印刷機であって、
前記ドクターブレードが、前記被印刷基材側から順に配置された第一のドクターブレード及び第二のドクターブレードを含み、
前記第二のドクターブレードのＪＩＳ  Ｌ  １０９６：２０１０で規定される剛軟度が２．５×１０−５Ｎ以下であることを特徴とする。
【０００６】
本発明に係るグラビア印刷方法は、グラビア印刷機を用いて、
インキパンのインキをグラビア版胴の版面に転移させてインキングを行う工程と、
ドクターブレードにより前記版面上の余分なインキを掻き取る工程と、
前記版面の微小な凹部に詰まったインキを被印刷基材に転移させる工程とを有する、グラビア印刷方法であって、
前記ドクターブレードが、前記被印刷基材側から順に配置された第一のドクターブレード及び第二のドクターブレードを含み、前記インキを掻き取る工程において、前記第二のドクターブレード、前記第一のドクターブレードの順で前記版面上の余分なインキを掻き取り、
前記第二のドクターブレードのＪＩＳ  Ｌ  １０９６：２０１０で規定される剛軟度が２．５×１０−５Ｎ以下であることを特徴とする。
【発明の効果】
【０００７】
本発明によれば、印刷時におけるスジ及びかすれの発生が抑制されたグラビア印刷機、及び印刷時におけるスジ及びかすれの発生が抑制されたグラビア印刷方法を提供することができる。
【図面の簡単な説明】
【０００８】
【図１】本発明に係るグラビア印刷機の一例を模式的に示す断面図である。
【発明を実施するための形態】
【０００９】
本発明に係るグラビア印刷機は、インキパンのインキをグラビア版胴の版面に転移させてインキングを行い、ドクターブレードにより前記版面上の余分なインキを掻き取った後、前記版面の微小な凹部に詰まったインキを被印刷基材に転移させるグラビア印刷機であって、
前記ドクターブレードが、前記被印刷基材側から順に配置された第一のドクターブレード及び第二のドクターブレードを含み、
前記第二のドクターブレードのＪＩＳ  Ｌ  １０９６：２０１０で規定される剛軟度が２．５×１０−５Ｎ以下であることを特徴とする。
なお、本発明において前記剛軟度は、具体的には、前記ＪＩＳ規格の８.２２．１ Ａ法（剛軟度（ガーレ法））に準拠した方法により測定することができる。
【００１０】
本発明に係るグラビア印刷方法は、グラビア印刷機を用いて、
インキパンのインキをグラビア版胴の版面に転移させてインキングを行う工程と、
ドクターブレードにより前記版面上の余分なインキを掻き取る工程と、
前記版面の微小な凹部に詰まったインキを被印刷基材に転移させる工程とを有する、グラビア印刷方法であって、
前記ドクターブレードが、前記被印刷基材側から順に配置された第一のドクターブレード及び第二のドクターブレードを含み、前記インキを掻き取る工程において、前記第二のドクターブレード、前記第一のドクターブレードの順で前記版面上の余分なインキを掻き取り、
前記第二のドクターブレードのＪＩＳ  Ｌ  １０９６：２０１０で規定される剛軟度が２．５×１０−５Ｎ以下であることを特徴とする。
【００１１】
図１は、本発明に係るグラビア印刷機の一例を模式的に示す断面図である。図１に示すグラビア印刷機では、版胴１（グラビアシリンダー）の下面の一部がインキパン８中に満たされたインキ９に浸漬するようにして、版胴１を矢印の方向に回転させ、インキ９を版胴１の版面１ｓに転移させてインキングを行った後、第二のドクターブレード７、第一のドクターブレード６の順に版面１ｓ上の余分なインキを掻き取る。次いで、対向して配置された版胴１と圧胴２との接触面間に被印刷基材３を通し、版胴１と圧胴２間の圧力（印圧）により、版胴１の版面１ｓの微小な凹部に詰まったインキを被印刷基材３に転移させることにより、印刷を行う。
【００１２】
従来のグラビア印刷機を用いたグラビア印刷方法では、粘性の低いインキを用いた場合には、ドクターブレードでインキを十分に掻き取ることができず、インキがドクターブレード上に乗り上げてしまい、乗り上げた過剰なインキやその乾燥物の影響により、印画物にスジやかすれが発生する等の不具合が生じていた。具体的には、例えば、インキがドクターブレード上に乗り上げると、その後インキが乾燥してできた乾燥物が、ドクターブレード上から版面に落下し、版胴により運ばれて被印刷基材に付着したり、ドクターブレード上にインキの乾燥物が堆積することにより、ドクターブレードの刃先が分厚くなり、版面上のインキがドクターブレードによって過剰に掻き取られること等により、熱転写シートにスジやかすれが発生する場合があった。
これに対し、本発明に係るグラビア印刷機及びグラビア印刷方法は、ドクターブレードにより前記版面上の余分なインキを掻き取る際に、まず、上記特定の剛軟度を有する第二のドクターブレードで版面のインキを掻き取った後、さらに、従来一般的に用いられているドクターブレードである第一のドクターブレードで、再度版面のインキを掻き取ることにより、上記の問題を解決することができる。すなわち、本発明では、相対的に柔らかい第二のドクターブレードにより、ある程度の量のインキを掻き取った後、相対的に硬い第一のドクターブレードにより再度インキを掻き取るという、段階的なインキの掻き取りを行い、さらに、第二のドクターブレードの剛軟度を上記特定値以下とすることにより、第二のドクターブレードで掻き取られるインキの量を適度な量とすることができるため、粘性の低いインキを用いた場合であっても、第一のドクターブレード上へのインキの乗り上げを抑制し、且つ版面上のインキを十分に掻き取ることができ、印画表面が良好になると考えられる。
なお、本発明において、粘性が低いインキとは、ザーンカップ（東洋精機社、Ｎｏ．２）により測定した粘度秒数が３０秒以下のものをいう。
ここでいう粘度秒数とは、ザーンカップ（東洋精機社製、ＺＡＨＮ  ＶＩＳＣＯＳＩＭＥＴＥＲ  Ｃｕｐ  Ｎｏ.２）に塗工液を満たし、その液が落ち始めてから、液の流れが切れるまでの時間である。粘度秒数が大きいほど、粘度が高い。また、本発明において、上記の粘度秒数の測定は、２５℃、６０％ＲＨの環境下で行なった値である。
【００１３】
本発明に係るグラビア印刷機は、図１に示すように、被印刷基材３側から順に配置された第一のドクターブレード６及び第二のドクターブレード７を含む。第一のドクターブレード６及び第二のドクターブレード７は、各々第一のドクターホルダー６ｈ及び第二のドクターホルダー７ｈによってグラビア印刷機に固定された第一のドクター装置６ｄ及び第二のドクター装置７ｄとして、グラビア印刷機に備えられる。ドクターホルダーとしては、従来公知のものを適宜選択して使用することができる。
【００１４】
前記第一のドクターブレードとしては、例えば、１５０μｍ〜３００μｍの厚さを有しており、ステンレス等の鋼や、セラミック、プラスチック等を用いて形成されたドクターブレード等、従来のドクターブレードを使用できる。鋼やセラミック製の場合には、１００μｍ程度の厚さであっても好適に用いられる。なお、前記第一のドクターブレードは、ドクターブレード本体が鋼からなっている場合には、使用するインキの種類に応じて、ドクターブレード本体の全面に、Ｎｉ−Ｐ粒子およびＳｉＣ粒子を混入させたニッケルめっき、Ｎｉ−Ｐ粒子およびポリテトラフルオロエチレン（ＰＴＦＥ）粒子を混入させたニッケルめっき、Ｎｉ−Ｐ粒子を混入させたニッケルめっき、またはクロムめっきが施されていることが好ましい。
第一のドクターブレードのＪＩＳ  Ｌ  １０９６：２０１０で規定される剛軟度は、特に限定されないが、４０×１０−５Ｎ以上であることが好ましい。
【００１５】
前記第二のドクターブレードは、ＪＩＳ  Ｌ  １０９６：２０１０で規定される剛軟度が２．５×１０−５Ｎ以下である。本発明においては、ドクターブレードとして、従来のドクターブレードに加え、さらに、被印刷基材側とは反対側（インキパン側）に、前記上限値以下の剛軟度を有する第二のドクターブレードを備えることにより、印刷時におけるスジ及びかすれの発生を抑制することができる。前記第二のドクターブレードの前記剛軟度が２．５×１０−５Ｎよりも大きいと、第二のドクターブレードでインキを掻き取る際に、インキを掻き取りすぎてしまい、却って印刷時におけるスジ及びかすれが発生してしまう。
前記第二のドクターブレードの前記剛軟度は、スジ及びかすれの発生をさらに抑制し、印刷の均一性を向上する点から、１．５×１０−５Ｎ以下であることが好ましい。一方、柔らかすぎると版面のインキを掻きもらしすぎて、本発明の効果が得られ難い恐れがあるという点から、０．２５×１０−５Ｎ以上であることが好ましく、更に０．３×１０−５Ｎ以上であることが好ましい。
【００１６】
前記第二のドクターブレードの材質及び厚みは、前記剛軟度が前記上限値以下となるように適宜選択することができる。
前記第二のドクターブレードの材質としては、例えば、樹脂、金属等が挙げられ、中でも樹脂が好適に用いられ、より具体的には、ポリエステル系樹脂、ポリウレタン系樹脂、ポリエチレン系樹脂、ポリプロピレン系樹脂等のポリオレフィン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂、ポリビニルアセトアセタール樹脂等のポリビニルアセタール樹脂等が挙げられる。中でも、化学的安定性が高く、且つ、前記剛軟度を満たす材料を選択しやすい、ポリエチレンテレフタレート等ポリエステル樹脂のフィルム乃至シートが好適に用いられ、特にポリエチレンテレフタレートフィルム乃至シートが好適に用いられる。また、前記金属としては、例えば、セラミック、鋼等が挙げられる。
前記第二のドクターブレードの厚みは、前記剛軟度が２．５×１０−５Ｎ以下となるように、材質に応じて適宜選択すればよいが、２０〜３００μｍの範囲内であることが好ましい。前記第二のドクターブレードの材質が前記金属の場合は、厚みは１００μｍ未満の中から適宜選択することが好ましい。
前記第二のドクターブレードの前記剛軟度が前記上限値以下となるための好ましい材質と厚みの組み合わせとしては、例えば、厚み３０〜２５０μｍのポリエステル系樹脂製ドクターブレード等を挙げることができる。
【００１７】
前記第一のドクターブレード６と前記第二のドクターブレード７の配置は、被印刷基材３側から順に第一のドクターブレード６及び第二のドクターブレード７が配置されていれば特に限定されないが、スジ及びかすれの発生をさらに抑制し、印刷の均一性を向上する点から、図１に示す本発明に係るグラビア印刷機の断面図において、被印刷基材３とグラビア版胴１との接触中心４と版胴１の軸中心５を結ぶ直線１０とグラビア版胴に対する第一のドクターブレードの刃先の版面接触位置Ｐ１と版胴１の軸中心５を結ぶ直線１１とがなす角αが、１０度から９０度の範囲内になるように、第一のドクターブレードが配置され、被印刷基材３とグラビア版胴１との接触中心４と版胴１の軸中心５を結ぶ直線１０とグラビア版胴１に対する第二のドクターブレードの刃先の版面接触位置Ｐ２と版胴１の軸中心５を結ぶ直線１２とがなす角βが、前記角αよりも大きく、且つ９０度から１８０度の範囲内になるように、第二のドクターブレードが配置されてなることが好ましい。また、前記角αが２０度から５０度の範囲内になるように、第一のドクターブレードが配置され、前記角βが１００度から１５０度の範囲内になるように、第二のドクターブレードが配置されてなることが、より好ましい。
【００１８】
また、スジ及びかすれの発生をさらに抑制し、印刷の均一性を向上する点から、第一のドクターブレード及び第二のドクターブレードの配置は、前記角度αと前記角度βの角度の差（β−α）が１０〜１７０度であることが好ましく、９０〜１２０度であることがより好ましい。
【００１９】
第二のドクターブレード７の版面１ｓに対する接触角度（ドクター角）θｂは、特に限定されないが、通常３０〜８０度であり４０〜７０度であることがより好ましい。
第二のドクターブレード７の版面１ｓに対する接触圧（ドクター圧）は、特に限定されないが、１０Ｎ／ｃｍ２未満で適宜設定されることがより好ましい。
第一のドクターブレード６の版面１ｓに対する接触角度（ドクター角）θａは、特に限定されないが、通常３０〜７０度である。また、第一のドクターブレード６の版面１ｓに対する接触圧（ドクター圧）は、特に限定されないが、通常１０〜３０Ｎ／ｃｍ２である。
なお、印刷に伴い第一のドクター装置６ｄ及び第二のドクター装置７ｄ自体が動いて、第一のドクターブレード６及び第二のドクターブレード７が一定範囲で版面を左右に平行して動く構造にされていてもよい。この場合、第一のドクターブレード６及び第二のドクターブレード７の揺動幅は各々通常、５０ｍｍ 〜１００ｍｍ程度である。
【００２０】
本発明に係るグラビア印刷機に用いるインキとしては、従来グラビア印刷において用いられるインキを用いることができ、特に限定されない。本発明に用いられるインキは、例えば、色材およびバインダを含有するものであっても良い。色材としては、例えば、有機顔料およびカーボンブラック等を挙げることができる。バインダとしては、例えば、アクリル系樹脂およびポリエステル樹脂等の樹脂を挙げることができる。また、必要に応じて他の成分を含むものであっても良い。そのような他の成分としては、例えば、無機物であるシリカやタルク、および有機物であるワックス粒子やアクリル粒子等を挙げることができる。
本発明においては、粘性が低いインキ、すなわち、ザーンカップ（東洋精機社、Ｎｏ．２）により測定した粘度秒数が３０秒以下のインキを用いる場合に、特に印刷時におけるスジ及びかすれを抑制する効果を顕著に発揮することができる。このようなインキとしては、例えば、溶剤として水を含む水系インキ、特に固形分濃度が３０％以下の水系インキ等が挙げられる。
【００２１】
本発明に係るグラビア印刷機においては、上述したドクターブレード以外の構成要素、例えば図１に示すグラビア印刷機の場合は、版胴１、圧胴２、被印刷基材３、インキパン８、インキ９、については、特に限定されず、従来グラビア印刷機に用いられているものと同様のものを用いることができ、例えば、特開２００７−２５３５８６号公報に記載されているものを用いることができる。また、本発明に係るグラビア印刷機は、本発明の効果を損なわない範囲において、図１に示す構成要素以外のものを備えていてもよく、例えば、版胴へのインキの付着を良好にするためのファニッシャローラや、均一のインキ粘度とインキ量を維持するためのインキ循環撹拌装置等を備えていてもよい。
【００２２】
本発明に係るグラビア印刷方法は、上述した本発明に係るグラビア印刷装置を用いて行うことができる。発明に係るグラビア印刷方法において、印刷速度は特に限定されず、通常１００〜１０００ｍ／分の範囲内であるが、印刷速度が２００〜４００ｍ／分の範囲内である場合に、特にスジ及びかすれの抑制効果を顕著に発揮することができる。
【実施例】
【００２３】
以下、本発明について実施例を示して具体的に説明する。これらの記載により本発明を制限するものではない。なお、各実施例及び各比較例において用いた第一のドクターブレード及び第二のドクターブレードの剛軟度は、ＪＩＳ  Ｌ  １０９６：２０１０の８.２２．１ Ａ法（剛軟度（ガーレ法））で規定される方法に準じて、ガーレー式剛柔度計（東洋精機社製）を用い、長さ３．５インチ、幅１インチの試料について測定したものである（以下、単に、剛軟度という）。また、各実施例及び各比較例の説明において使用する符号は、図１に対応するものである。
【００２４】
［実施例１］
実施例１のグラビア印刷機として、図１に示すようなグラビア印刷機を準備した。すなわち、実施例１のグラビア印刷機は、外径Ｄ：１８００ｍｍの版胴１（版面のメッシュ：格子３００Ｌ／インチ）を備え、第一のドクターブレード６として、厚さ１００μｍのセラミック製ドクターブレード（剛軟度５５×１０−５Ｎ）を、第二のドクターブレード７として、厚さ１００μｍのポリエチレンテレフタレート（ＰＥＴ）製ドクターブレード（剛軟度１．１×１０−５Ｎ）を備えるものであった。
第一のドクターブレード６は、被印刷基材３とグラビア版胴１との接触中心４と版胴１の軸中心５を結ぶ直線１０とグラビア版胴に対する第一のドクターブレードの刃先の版面接触位置Ｐ１と版胴１の軸中心５を結ぶ直線１１とがなす角αが、３０度になるように配置され、ドクター角θａは３０度、ドクター圧は２５Ｎ／ｃｍ２であった。
第二のドクターブレード７は、被印刷基材３とグラビア版胴１との接触中心４と版胴１の軸中心５を結ぶ直線１０とグラビア版胴１に対する第二のドクターブレードの刃先の版面接触位置Ｐ２と版胴１の軸中心５を結ぶ直線１２とがなす角βが、１２０度になるように配置され、ドクター角θｂは４５度であった。
【００２５】
［実施例２］
実施例１において、第二のドクターブレードとして、厚さ２００μｍのＰＥＴ製ドクターブレード（剛軟度２．１×１０−５Ｎ）を用いたこと以外は、実施例１と同様にして、実施例２のグラビア印刷機を得た。
【００２６】
［実施例３］
実施例１において、第二のドクターブレードとして、厚さ５０μｍのＰＥＴ製ドクターブレード（剛軟度０．２５×１０−５Ｎ）を用いたこと以外は、実施例１と同様にして、実施例３のグラビア印刷機を得た。
【００２７】
［比較例１］
実施例１において、第二のドクターブレードを用いなかったこと以外は、実施例１と同様にして、比較例１のグラビア印刷機を得た。
【００２８】
［比較例２］
実施例１において、第二のドクターブレードとして厚さ１００μｍのスチール製ドクターブレード（剛軟度８００×１０−５Ｎ）を用いたこと以外は、実施例１と同様にして、比較例２のグラビア印刷機を得た。
【００２９】
［比較例３］
実施例１において、第二のドクターブレードとして厚さ３００μｍのＰＥＴ製ドクターブレード（剛軟度３．３×１０−５Ｎ）を用いたこと以外は、実施例１と同様にして、比較例３のグラビア印刷機を得た。
【００３０】
［比較例４］
実施例１において、第二のドクターブレードとして厚さ１００μｍのセラミック製ドクターブレード（剛軟度５５×１０−５Ｎ）を用いたこと以外は、実施例１と同様にして、比較例４のグラビア印刷機を得た。
【００３１】
＜評価＞
各実施例及び各比較例で得られたグラビア印刷機を用い、インキとして下記組成のインキ（粘度：ザーンカップ（東洋精機社、Ｎｏ．２）により測定した粘度秒数が２０秒）を用いて、下記条件でグラビア印刷を行い、印画物（熱転写シート）を得た。得られた印画物の印画表面を目視で観察し、シート面質について評価した。評価結果を表１に示す。
［インキの組成］
水性ポリエステル樹脂（バイロナールＭＤ−１５００  東洋紡社製）（固形分３０％）  １００質量部
水  ５０質量部
２−プロパノール（ＩＰＡ）  ５０質量部
［印刷条件］
印刷方式：ダイレクトグラビア方式
印刷速度：４００ｍ／ｍｉｎ
被印刷基材：材質ＰＥＴ、厚さ６μｍ
【００３２】
［評価基準］
Ａ：印画表面にかすれ及びスジがない
Ｂ：印画表面にかすれ及びスジが若干見えるが、完全にインクが抜けていないスジであり、品質には問題ないレベル
Ｃ：印画表面にかすれ及びスジがあり、完全にインクが抜けているスジであり、印画物に支障があるレベル
【００３３】
【表１】
2015066893.tif 000003
【００３４】
（結果のまとめ）
実施例１〜３のグラビア印刷機は、ドクターブレードとして、被印刷基材側から順に配置された第一のドクターブレード及び第二のドクターブレードを備え、第二のドクターブレードのＪＩＳ  Ｌ  １０９６：２０１０で規定される剛軟度が２．５×１０−５Ｎ以下であったため、粘性の低いインキを用いた場合であっても、得られた印画物は、印画表面にかすれ及びスジがないか（実施例１）、スジが若干あっても、完全にインクが抜けていないスジであり、品質には問題ないレベルであった（実施例２、３）。
一方、比較例１のグラビア印刷機は、第二のドクターブレードを備えていなかったため、得られた印画物にかすれ及びスジがあり、印画物に支障があるレベルであった。
比較例２〜４のグラビア印刷機は、第二のドクターブレードの前記剛軟度が大きすぎたため、得られた印画物にかすれ及びスジがあり、印画物に支障があるレベルであった。
【符号の説明】
【００３５】
１    版胴
２    圧胴
３    被印刷基材
６    第一のドクターブレード
６ｈ  第一のドクターホルダー
６ｄ  第一のドクター装置
７    第二のドクターブレード
７ｈ  第二のドクターホルダー
７ｄ  第二のドクター装置
８    インキパン
９    インキ
【図１】
2015066893.tif 000004